(57)【特許請求の範囲】
【請求項１】
高速パケットデータHRPDシステムにおいて、非3GPP2システムのシステム情報を伝送する伝送メッセージを設定し、
さらに、前記HRPDシステムのネットワーク側は前記HRPDシステム及び前記非3GPP2システムをサポートするマルチモードモバイル端末が前記HRPDシステム及び前記非3GPP2システムの共同カバー領域に位置すると判定したとき、前記非3GPP2システムのシステム情報の伝送メッセージを生成して前記マルチモードモバイル端末へ送信する
ことを含み、
前記非3GPP2システムのシステム情報の伝送メッセージは、メッセージ識別フィールド、メッセージシーケンス番号フィールド、非3GPP2システムのシステム情報タイプフィールド、非3GPP2システムのシステム情報ブロック長さフィールド、及び非3GPP2システムのシステム情報ブロックフィールドを含む
ことを特徴とする高速パケットデータシステムにおける非3GPP2システムのシステム情報の送信方法。
【請求項２】
前記メッセージシーケンス番号フィールドは、前記非3GPP2システムのシステム情報における伝送メッセージの送信番号を識別し、
メッセージシーケンス番号は、前記非3GPP2システムのシステム情報における伝送メッセージが送信されるごとに、１がプラスされる
ことを特徴とする請求項１に記載の方法。
【請求項３】
前記非3GPP2システムのシステム情報における伝送メッセージは、ダウンリンク専用制御チャンネルまたは共同制御チャンネルで前記マルチモードモバイル端末へ送信される
ことを特徴とする請求項１または２に記載の方法。
【請求項４】
前記非3GPP2システムのシステム情報を送信した後、設定された時間間隔内に前記非3GPP2システムのシステム情報に応答する応答メッセージを受信しなかったと判定したとき、前記非3GPP2システムのシステム情報を再送信する
ことをさらに含むことを特徴とする請求項３に記載の方法。
【請求項５】
高速パケットデータHRPDシステムにおいて、非3GPP2システムのシステム情報を伝送する伝送メッセージと、前記伝送メッセージに応答する非3GPP2システムのシステム情報の伝送応答メッセージとを設定し、
さらに、前記HRPDシステム及び前記非3GPP2システムをサポートするマルチモードモバイル端末は、前記HRPDシステムが送信した前記非3GPP2システムのシステム情報における伝送メッセージを受信した後、非3GPP2システムのシステム情報の解析を行い、
解析した非3GPP2システムのシステム情報における伝送メッセージを非3GPP2システムプロセッサに記憶しまたは廃棄し、
処理結果の原因値を生成し、
前記原因値に基づいて非3GPP2システムのシステム情報における伝送応答メッセージを生成して前記HRPDシステムへフィードバックする
ことを含み、
前記非3GPP2システムのシステム情報における伝送メッセージは、メッセージ識別フィールド、メッセージシーケンス番号フィールド、非3GPP2システムのシステム情報タイプフィールド、非3GPP2システムのシステム情報ブロック長さフィールド、及び非3GPP2システムのシステム情報ブロックフィールドを含み、
前記非3GPP2システムのシステム情報における伝送応答メッセージは、メッセージ識別フィールド、メッセージシーケンス番号フィールド、非3GPP2システムのシステム情報タイプフィールド、及び原因値フィールドを含む
ことを特徴とする高速パケットデータシステムにおける非3GPP2システムのシステム情報の応答方法。
【請求項６】
前記非3GPP2システムのシステム情報における伝送応答メッセージのメッセージシーケンス番号フィールド、及び非3GPP2システムのシステム情報タイプフィールドは、それぞれ、受信した前記非3GPP2システムのシステム情報における伝送メッセージのメッセージシーケンス番号フィールド、及び非3GPP2システムのシステム情報タイプフィールドと同じである
ことを特徴とする請求項５に記載の方法。
【請求項７】
設定ユニット、第一判定ユニット、生成ユニット及び送信ユニットを含む高速パケットデータHRPDシステムにおける非3GPP2システムのシステム情報の送信装置であって、
高速パケットデータHRPDシステムにおいて、非3GPP2システムのシステム情報を伝送する伝送メッセージを設定する設定ユニットと、
前記HRPDシステム及び前記非3GPP2システムをサポートするマルチモードモバイル端末が前記HRPDシステム及び前記非3GPP2システムの共同カバー領域に位置すると判定したとき、生成ユニットをトリガーする第一判定ユニットと、
前記非3GPP2システムのシステム情報における伝送メッセージを生成する生成ユニットと、
前記生成ユニットで生成した前記非3GPP2システムのシステム情報における伝送メッセージを前記マルチモードモバイル端末へ送信する送信ユニットと、
を備え、
前記非3GPP2システムのシステム情報の伝送メッセージは、メッセージ識別フィールド、メッセージシーケンス番号フィールド、非3GPP2システムのシステム情報タイプフィールド、非3GPP2システムのシステム情報ブロック長さフィールド、及び非3GPP2システムのシステム情報ブロックフィールドを含む
ことを特徴とする高速パケットデータシステムにおける非3GPP2システムのシステム情報の送信装置。
【請求項８】
さらに、第二判定ユニットと再送信ユニットを含む前記装置であって、
前記非3GPP2システムのシステム情報における伝送メッセージを送信した後、設定された時間間隔内に前記非3GPP2システムのシステム情報に応答する応答メッセージを受信しなかったと判定したとき、再送信ユニットをトリガーする第二判定ユニットと、
前記非3GPP2システムのシステム情報を再送信する再送信ユニットと、
を備えることを特徴とする請求項７に記載の装置。
【請求項９】
設定ユニット、受信ユニット、解析ユニット、処理ユニット、生成ユニット及び送信ユニットを含む高速パケットデータHRPDシステムにおける非3GPP2システムのシステム情報の応答装置であって、
HRPDシステムにおいて、非3GPP2システムのシステム情報を伝送する伝送メッセージ及び前記非3GPP2システムのシステム情報に応答する伝送応答メッセージを設定する設定ユニットと、
前記HRPDシステムが送信した前記非3GPP2システムのシステム情報における伝送メッセージを受信する受信ユニットと、
前記受信ユニットで受信した前記非3GPP2システムのシステム情報における伝送メッセージを解析する解析ユニットと、
前記解析ユニットで解析した非3GPP2システムのシステム情報を非3GPP2システムプロセッサに記憶しまたは廃棄し、原因値を生成する処理ユニットと、
前記原因値に基づいて非3GPP2システムのシステム情報における伝送応答メッセージを生成する生成ユニットと、
前記生成ユニットで生成した非3GPP2システムのシステム情報における伝送応答メッセージを前記HRPDシステムへ送信する送信ユニットと、
を備え、
前記非3GPP2システムのシステム情報における伝送メッセージは、メッセージ識別フィールド、メッセージシーケンス番号フィールド、非3GPP2システムのシステム情報タイプフィールド、非3GPP2システムのシステム情報ブロック長さフィールド、及び非3GPP2システムのシステム情報ブロックフィールドを含み、
前記非3GPP2システムのシステム情報における伝送応答メッセージは、メッセージ識別フィールド、メッセージシーケンス番号フィールド、非3GPP2システムのシステム情報タイプフィールド、及び原因値フィールドを含む
高速パケットデータシステムにおける非3GPP2システムのシステム情報の応答装置。
【請求項１０】
前記生成ユニットが生成した非3GPP2システムのシステム情報における伝送応答メッセージのメッセージシーケンス番号フィールド、及び非3GPP2システムのシステム情報タイプフィールドは、それぞれ、前記受信ユニットで受信した前記非3GPP2システムのシステム情報における伝送メッセージのメッセージシーケンス番号フィールド、及び非3GPP2システムの情報タイプフィールドと同じである
ことを特徴とする請求項９に記載の装置。
【発明の詳細な説明】
【技術分野】
【０００１】
本発明はCDMA2000高速パケットデータ（HRPD，High Rate Packet Data）システムにおける非第三世代パートナーシッププロジェクト２（non-3GPP2，non 3rd Generation Partnership Project 2）システム情報の送信、応答技術に関し、特にHRPDシステムにおける非3GPP2システムのシステム情報の送信、応答方法及び装置に関する。
【背景技術】
【０００２】
3GPP組織で制定された長期発展型システム（LTE，Long Term Evolution）及び、WiMaxフォーラム（WMF，WiMax Forum）と電気電子技術者協会（IEEE，Institute of Electrical and Electronic Engineer）組織で制定されたグローバルマイクロ波アクセス相互運用性（WiMax，World Interoperability for Microwave Access）システムは、二種類の新世代主流ブロードバンド無線通信システムとして、現在の発展が非常に急速である。その重要な一面としては、新世代ブロードバンド無線通信システムと従来システム（例えば、3GPP2のCDMA2000 HRPDなど）間の相通をどのように実現するかということである。その二つのネットワークシステムの相通を実現するために、無線環境の条件が適切であるときに、モバイル端末がターゲットネットワークシステムに対して効果的な計測を実行することができ、ターゲットネットワークへの切り替えを開始することができるように、そして、モバイル端末がターゲットネットワークシステムに素早くキャプチャ及びアクセスすることができるように、ソースネットワークシステムは、モバイル端末にターゲットネットワークシステムのシステム情報を提供する必要がある。
【０００３】
LTEシステムでは、異なるシステム情報のタイプが具体的に定義され、異なるターゲットネットワークシステムのシステム情報は、ブロードキャストにより伝送される。システム情報ブロックタイプ８（SystemInformationBlockType8）は、CDMA2000のシステム情報のブロードキャストで定義される。同様に、モバイル端末がターゲットネットワークシステムに対して計測を実行することができ、適切なタイミングでターゲットネットワークシステムへの切り替えを開始してアクセスすることができるように、CDMA2000 HRPDシステムは、他のネットワークシステムへ切り替える前に、事前にモバイル端末へターゲットネットワークシステムのシステム情報を提供する必要がある。CDMA2000 HRPDシステムが他のネットワークシステムへ切り替えるとき、ターゲットネットワークシステムのシステム情報の偏向した送信方式は、HRPDシステムの既存のオーバヘッドメッセージの拡張によって他のターゲットネットワークシステムのシステム情報をキャリーし、ブロードキャストによってシステム情報を伝送する。このブロードキャスト伝送方式のメリットは、エアインターフェースの無線資源を節約でき、伝送方式を統一することができる点であるが、そのデメリットは、HRPDシステムのエアインターフェースプロトコルスタックのオーバヘッドメッセージサブプロトコルを変更／拡張する必要がある点である。そうすると、ネットワーク側でも、端末側でも、適応的に変更する必要があり、これは、変更のコストを大きく増加させ、これにより、元のモバイル端末をアップグレードするには困難になる。
【発明の概要】
【発明が解決しようとする課題】
【０００４】
そこで、本発明は、上記問題に鑑みてなされたものであり、本発明の主要な目的とは、HRPDシステムのエアインターフェースプロトコルスタックのオーバヘッドメッセージサブプロトコルを変更／拡張する必要がないHRPDシステムにおける非3GPP2システムのシステム情報の送信、応答方法及び装置を提供する。
【課題を解決するための手段】
【０００５】
上記目的を達するために、本発明の技術方案は以下のように実現する。
高速パケットデータHRPDシステムにおいて、非3GPP2システムのシステム情報を伝送するのに用いる伝送メッセージを設定し、
前記HRPDシステムのネットワーク側は前記HRPDシステム及び前記非3GPP2システムをサポートするマルチモードモバイル端末が前記HRPDシステム及び前記非3GPP2システムの共同カバー領域に位置すると判定したとき、前記非3GPP2システムのシステム情報の伝送メッセージを生成して前記マルチモードモバイル端末へ送信する。
【０００６】
好ましくは、前記非3GPP2システムのシステム情報の伝送メッセージは、メッセージ識別フィールド、メッセージシーケンス番号フィールド、非3GPP2システムのシステム情報タイプフィールド、非3GPP2システムのシステム情報ブロック長さフィールド、及び非3GPP2システムのシステム情報ブロックフィールドを含んでいてもよい。
【０００７】
好ましくは、前記メッセージシーケンス番号フィールドは、前記非3GPP2システムのシステム情報における伝送メッセージの送信番号を識別してもよく、メッセージシーケンス番号は、前記非3GPP2システムのシステム情報における伝送メッセージが送信されるごとに、１がプラスされてもよい。
【０００８】
好ましくは、前記非3GPP2システムのシステム情報における伝送メッセージは、ダウンリンク専用制御チャンネルまたは共同制御チャンネルで前記マルチモードモバイル端末へ送信されてもよい。
【０００９】
好ましくは、前記方法は、さらに
前記非3GPP2システムのシステム情報を送信した後、設定された時間間隔内に前記非3GPP2システムのシステム情報に応答する応答メッセージを受信しなかったとき、前記非3GPP2システムのシステム情報を改めて送信することを含んでいてもよい。
【００１０】
高速パケットデータシステムにおける非3GPP2システムのシステム情報の応答方法であって、
HRPDシステムにおいて、非3GPP2システムのシステム情報を伝送する伝送メッセージと、前記伝送メッセージに応答する、非3GPP2システムのシステム情報の伝送応答メッセージとを設定し、
前記HRPDシステム及び前記非3GPP2システムをサポートするマルチモードモバイル端末は、前記HRPDシステムが送信した前記非3GPP2システムのシステム情報における伝送メッセージを受信した後、前記非3GPP2システムのシステム情報の解析を行い、
解析した非3GPP2システムのシステム情報を非3GPP2システムプロセッサに記憶しまたは廃棄し、
処理結果の原因値を生成し、
前記原因値に基づいて非3GPP2システムのシステム情報における伝送応答メッセージを生成して前記HRPDシステムへフィードバックする。
【００１１】
好ましくは、前記非3GPP2システムのシステム情報における伝送メッセージは、メッセージ識別フィールド、メッセージシーケンス番号フィールド、非3GPP2システムのシステム情報タイプフィールド、非3GPP2システムのシステム情報ブロック長さフィールド、及び非3GPP2システムのシステム情報ブロックフィールドを含んでいてもよく、前記非3GPP2システムのシステム情報における伝送応答メッセージは、メッセージ識別フィールド、メッセージシーケンス番号フィールド、非3GPP2システムのシステム情報タイプフィールド、及び原因値フィールドを含んでいてもよい。
【００１２】
好ましくは、前記非3GPP2システムのシステム情報における伝送応答メッセージのメッセージシーケンス番号フィールド、及び非3GPP2システムのシステム情報タイプフィールドは、それぞれ、受信した前記非3GPP2システムのシステム情報における伝送メッセージのメッセージシーケンス番号フィールド、及び非3GPP2システムのシステム情報タイプフィールドと同じであってもよい。
【００１３】
HRPDシステムにおいて、非3GPP2システムのシステム情報を伝送する伝送メッセージを設定する設定ユニットと、
前記HRPDシステム及び前記非3GPP2システムをサポートするマルチモードモバイル端末が前記HRPDシステム及び前記非3GPP2システムの共同カバー領域に位置すると判定したとき、生成ユニットをトリガーする第一判定ユニットと、
前記非3GPP2システムのシステム情報における伝送メッセージを生成する生成ユニットと、
前記生成ユニットで生成した前記非3GPP2システムのシステム情報における伝送メッセージを前記マルチモードモバイル端末へ送信する送信ユニットと、
を備える高速パケットデータシステムにおける非3GPP2システムのシステム情報の送信装置。
【００１４】
好ましくは、前記非3GPP2システムのシステム情報における伝送メッセージは、メッセージ識別フィールド、メッセージシーケンス番号フィールド、非3GPP2システムのシステム情報タイプフィールド、非3GPP2システムのシステム情報ブロック長さフィールド、及び非3GPP2システムのシステム情報ブロックフィールドを含んでいてもよい。
【００１５】
好ましくは、前記装置は、
前記非3GPP2システムのシステム情報を送信した後、設定された時間間隔内に前記非3GPP2システムのシステム情報に応答する応答メッセージを受信したかどうかと判定し、受信しなかったときに、再送信ユニットをトリガーする第二判定ユニットと、
前記非3GPP2システムのシステム情報を再送信する再送信ユニットと、
をさらに含んでいてもよい。
【００１６】
HRPDシステムにおいて、非3GPP2システムのシステム情報を伝送する伝送メッセージ及び前記非3GPP2システムのシステム情報に応答する伝送応答メッセージを設定する設定ユニットと、
前記HRPDシステムが送信した前記非3GPP2システムのシステム情報における伝送メッセージを受信する受信ユニットと、
前記受信ユニットで受信した前記非3GPP2システムのシステム情報における伝送メッセージを解析する解析ユニットと、
前記解析ユニットで解析した非3GPP2システムのシステム情報を非3GPP2システムプロセッサに記憶しまたは廃棄し、原因値を生成する処理ユニットと。
前記原因値に基づいて非3GPP2システムのシステム情報における伝送応答メッセージを生成する生成ユニットと、
前記生成ユニットで生成した非3GPP2システムのシステム情報における伝送応答メッセージを前記HRPDシステムへ送信する送信ユニットと、
を備える高速パケットデータシステムにおける非3GPP2システムのシステム情報の応答装置。
【００１７】
好ましくは、前記非3GPP2システムのシステム情報における伝送メッセージは、メッセージ識別フィールド、メッセージシーケンス番号フィールド、非3GPP2システムのシステム情報タイプフィールド、非3GPP2システムのシステム情報ブロック長さフィールド、及び非3GPP2システムのシステム情報ブロックフィールドを含んでいてもよく、前記非3GPP2システムのシステム情報における伝送応答メッセージは、メッセージ識別フィールド、メッセージシーケンス番号フィールド、非3GPP2システムのシステム情報タイプフィールド、及び原因値フィールドを含んでいてもよい。
【００１８】
好ましくは、前記生成ユニットで生成した非3GPP2システムのシステム情報における伝送応答メッセージのメッセージシーケンス番号フィールド、及び非3GPP2システムのシステム情報タイプフィールドはそれぞれ、前記受信ユニットで受信した前記非3GPP2システムのシステム情報における伝送メッセージのメッセージシーケンス番号フィールド、及び非3GPP2システムの情報タイプフィールドと同じであってもよい。
【発明の効果】
【００１９】
本発明において、HRPDシステムのエアインターフェースプロトコルスタックの応用層で導入した非3GPP2情報伝送応用サブタイプと非3GPP2情報伝送サブプロトコルにおいて新しい非3GPP2システムのシステム情報における伝送メッセージを定義することで、非3GPP2システムのシステム情報をHRPDシステムでモバイル端末まで送信する。そして、モバイル端末は、非3GPP2システムのシステム情報における伝送メッセージを受信した後、普通のHRPDシステムメッセージとして解析する。非3GPP2システムのシステム情報を解析した後、当該非3GPP2システムのシステム情報のタイプに応じて対応する非3GPP2システムプロセッサに記憶する。受信した非3GPP2システムのシステム情報の状況に応じて、モバイル端末は、受信結果（原因値）を新たに設定した非3GPP2システムのシステム情報の伝送応答メッセージに封入してHRPDシステムにフィードバックする。本発明はユニキャスト伝送方式でモバイル端末における非3GPP2システムのシステム情報を通知することを実現した。非3GPP2システムのシステム情報がHRPDシステムメッセージに封入されるので、HRPDシステムのエアインターフェースプロトコルスタックのオーバヘッドメッセージサブプロトコルを変更／拡張することを必要とせず、これは、CDMA2000 HRPDシステムがスムーズに新世代ブロードバンドモバイル通信システムへ進化することに役立つ。本発明は簡単かつ実用的に実現される。
【図面の簡単な説明】
【００２０】
【図１】図１は、本発明において高速パケットデータシステムにおける非3GPP2システムのシステム情報の送信方法のフローチャートである。
【図２】図２は、本発明において高速パケットデータシステムにおける非3GPP2システムのシステム情報の応答方法のフローチャートである。
【図３】図３は、本発明において高速パケットデータシステムにおける非3GPP2システムのシステム情報の送信装置の構造を示す図である。
【図４】図４は、本発明において高速パケットデータシステムにおける非3GPP2システムのシステム情報の応答装置の構造を示す図である。
【発明を実施するための形態】
【００２１】
本発明の基本的な思想とは、HRPDシステムのエアインターフェースプロトコルスタック応用層で導入した非3GPP2情報伝送応用サブタイプと非3GPP2情報伝送サブプロトコルにおいて、新しい非3GPP2システムのシステム情報の伝送メッセージを定義することで、非3GPP2システムのシステム情報をHRPDシステムでモバイル端末まで送信し、そして、モバイル端末は、非3GPP2システムのシステム情報における伝送メッセージを受信した後、受信した情報を通常のHRPDシステム情報として解析し、非3GPP2システムのシステム情報を解析した後、当該非3GPP2システムのシステム情報のタイプに応じて対応する非3GPP2システムプロセッサに記憶し、受信した非3GPP2システムのシステム情報の状況に応じて、モバイル端末は、受信結果を新たに設定した非3GPP2システムのシステム情報における伝送応答メッセージに封入してHRPDシステムにフィードバックする。本発明はユニキャスト伝送方式でモバイル端末における非3GPP2システムのシステム情報を通知することを実現した。非3GPP2システムのシステム情報がHRPDシステムメッセージに封入されるため、HRPDシステムのエアインターフェースプロトコルスタックのオーバヘッドメッセージサブプロトコルを変更／拡張することを必要せとず、これは、CDMA2000 HRPDシステムがスムーズに新世代ブロードバンドモバイル通信システムへ進化することに役立つ。本発明は簡単かつ実用的に実現される。
【００２２】
本発明の目的、技術案及びメリットをさらに明瞭するために、以下、付図を参照しながら実例をあげて本発明をさらに詳しく説明する。
【００２３】
図１は本発明において高速パケットデータシステムにおける非3GPP2システムのシステム情報の送信方法のフローチャートである。図１に示すように、本発明の高速パケットデータシステムにおける非3GPP2システムのシステム情報の送信方法は以下のステップを含む。
【００２４】
ステップ１０１において、HRPDシステムにおいて非3GPP2システムのシステム情報を伝送する伝送メッセージ（非3GPP2システム情報伝送メッセージ）を設定する。
ステップ１０１は本発明の非3GPP2システムのシステム情報の送信を実現する基本ステップであり、即ち、HRPDシステムにおいて非3GPP2システムのシステム情報をキャリーする伝送メッセージを設定する。当該メッセージの構造は表１の通りである。
【００２５】
【表１】
0005291245.tif 000002
【００２６】
本発明における非3GPP2システムのシステム情報における伝送メッセージは、メッセージ識別フィールド、メッセージシーケンス番号フィールド、非3GPP2システムのシステム情報タイプフィールド、非3GPP2システムのシステム情報ブロック長さフィールド、及び非3GPP2システムのシステム情報ブロックフィールドを含む。メッセージ識別フィールドは、８ビット（つまり、１バイト）を占め、伝送されるメッセージのタイプを識別、つまり、本発明において新たに設定した非3GPP2システムのシステム情報における伝送メッセージ自体を識別する。メッセージシーケンス番号フィールドは、８ビットを占め、メッセージがモバイル端末で正確に受信されたか、または、メッセージを再送信する必要があるかを確認するためのメッセージの送信番号を識別する。メッセージシーケンス番号は、非3GPP2システムのシステム情報における伝送メッセージを送信するごとに、１がプラスされ、メッセージシーケンス番号は、一番目の非3GPP2システムのシステム情報における伝送メッセージを生成したとき、１にセットされる。非3GPP2システムのシステム情報タイプフィールドは、８ビットを占め、本発明の非3GPP2 システム情報伝送メッセージによりキャリーされる非3GPP2システム情報のタイプ、例えば、システム情報がLTEシステムのシステム情報であるか、WiMaxシステムのシステム情報であるか、あるいは、その他のシステムのシステム情報であるかを識別する。非3GPP2システムのシステム情報ブロック長さフィールドは、８ビットを占め、本発明の非3GPP2 システム情報伝送メッセージがキャリーする非3GPP2システムのシステム情報の長さ（バイトで計算する）を識別する。非3GPP2システムのシステム情報ブロックフィールドは、本発明の非3GPP2 システム情報伝送メッセージがキャリーする具体的な非3GPP2システムのシステム情報であり、非3GPP2システムのシステム情報ブロックフィールドにより占有されるビット数は、非3GPP2システムのシステム情報ブロック長さフィールドのビット数に８をかけたものである。表１に示すような非3GPP2 システム情報伝送メッセージの構造は、単なる一例に過ぎず、上記フィールドのキャリー方式を限定するものではなく、示したフィールドも必要な基本フィールドであることを当業者は理解すべきであろう。
【００２７】
ここで、3GPP2システムとは、即ち、3GPP2標準組織が制定したCDMA2000 1XシステムとHRPDシステムであり、そして、非3GPP2システムとは即ち、3GPP2標準組織以外の無線標準組織が制定したシステムであり、例えば、3GPP組織が制定したグローバルモバイル通信（GSM，Global System for Mobile Communication）システム、汎用無線パケットサービス（GPRS，General Packet Radio Service）システム、ブロードバンド符号分割多元接続（WCDMA，Wideband Code Division Multiple Access）システムや、IEEEとWMFが制定したWiMaxシステム、IEEEが制定した無線ラン（WLAN，Wireless Local Area Network）システム等である。
【００２８】
ステップ１０２において、HRPDシステムのネットワーク側は、前記HRPDシステム及び前記非3GPP2システムをサポートするマルチモードモバイル端末が前記HRPDシステム及び前記非3GPP2システムの共同カバー領域に位置すると判定したとき、前記3GPP2システムのシステム情報における伝送メッセージを生成して前記マルチモードモバイル端末へ送信する。
【００２９】
HRPDシステム及び非3GPP2システムをサポートするマルチモードモバイル端末はHRPDシステムで移動する。HRPDシステムはマルチモードモバイル端末がHRPDシステム及び非3GPP2システムの共同カバー領域に位置すると検出すると、マルチモードモバイル端末が位置するカバー領域に属する非3GPP2システムのタイプに基づいて、前記非3GPP2 システム情報伝送メッセージを生成する。そして、マルチモードモバイル端末がHRPDシステム及びLTEシステムの共同カバー領域に位置すると判定したとき、メッセージ内の非3GPP2システムのシステム情報タイプフィールドがLTEシステムを示す文字であり、メッセージ内の非3GPP2システムのシステム情報ブロックフィールドがLTEシステムのシステム情報である非3GPP2 システム情報伝送メッセージを生成する。なお、非3GPP2システムのシステム情報は事前にHRPDシステムに配置するか、または、HRPDシステムが各非3GPP2システムの現在のシステム情報を取得することができるように、HRPDシステムと非3GPP2システムの間に、対応する非3GPP2システムのシステム情報の取得チャンネルを設定する必要がある。非3GPP2システムを通じて、積極的にHRPDシステムへ非3GPP2システムのシステム情報を報告することを容易に実現できることを当業者は理解すべきであろう。非3GPP2 システム情報伝送メッセージを生成するとき、HRPDシステムは当該HRPDシステムに記憶された非3GPP2システムのシステム情報を読み取って、読み取った情報を非3GPP2システムのシステム情報ブロックフィールドにセットすればよい。
【００３０】
HRPDシステムは、非3GPP2システムのシステム情報における伝送メッセージをダウンリンク専用制御チャンネル（モバイル端末が接続状態であるとき）または共同制御チャンネル（モバイル端末がアイドル状態であるとき）でキャリーしてマルチモードモバイル端末へ送信する。
【００３１】
ステップ１０２のあと、本発明は以下の内容をさらに含む。
ステップ１０３において、前記非3GPP2システムのシステム情報の伝送メッセージを送信した後、設定した時間間隔内に前記非3GPP2システムのシステム情報に応答する応答メッセージを受信しなかった場合、前記非3GPP2システムのシステム情報の伝送メッセージを再送信する。
【００３２】
HRPDシステムネットワーク側はアップリンクHRPDチャンネルで非3GPP2システム情報伝送メッセージに応答する応答メッセージを受信し、規定された時間内に、HRPDシステムがその前に送信した非3GPP2 システム情報伝送メッセージに応答する応答メッセージを受信しなかった場合、非3GPP2 システム情報伝送メッセージを再送信する。再送信を具体的に実現することについて、本明細書の次のステップ２０２における関連説明を参照する。ステップ１０３は、ステップ１０１、ステップ１０２が記載する技術案を好適化する技術手段であり、本発明の高速パケットデータシステムにおける非3GPP2システムのシステム情報の送信方法を実現する基本な技術案に必要なステップではないことを当業者は理解すべきであろう。
【００３３】
図１に示すような方法はHRPDシステムネットワーク側に適用される。
【００３４】
図２は本発明において高速パケットデータシステムにおける非3GPP2システムのシステム情報の応答方法のフローチャートである。図２に示すように、本発明に係る高速パケットデータにおける非3GPP2システムのシステムのシステム情報の応答方法は以下のステップを含む。
【００３５】
ステップ２０１において、HRPDシステムにおいて非3GPP2システムのシステム情報を伝送する伝送メッセージと、前記伝送メッセージに応答する非3GPP2システムのシステム情報の伝送応答メッセージとを設定する。
【００３６】
ステップ１０１と同様に、ステップ２０１も、本発明を実現する基本なステップである。図２に示すHRPDシステムにおける非3GPP2システムのシステム情報の応答方法は、HRPDシステムと非3GPP2システムをサポートするマルチモードモバイル端末に対して提案されたものであるので、ステップ１０１と比べ、HRPDシステムにさらに一つの非3GPP2 システム情報伝送メッセージに応答する応答メッセージを設定する必要がある。非3GPP2 システム情報伝送メッセージの具体的な構造が表１に示されたので、ここでその構造を繰り返し説明しない。表２に示すように、非3GPP2システムのシステム情報の伝送応答（非3GPP2システム情報伝送応答）メッセージの構造は、以下の通りである。
【００３７】
【表２】
0005291245.tif 000003
【００３８】
本発明における非3GPP2システムのシステム情報における伝送応答メッセージは、メッセージ識別フィールド、メッセージシーケンス番号フィールド、非3GPP2システムのシステム情報タイプフィールド、及び原因値フィールドを含む。メッセージ識別フィールドは、８ビットを占め、メッセージのタイプ、即ち、メッセージが非3GPP2システム情報伝送応答メッセージであることを識別する。メッセージシーケンス番号フィールドに充填される内容は、マルチモードモバイル端末が受信した非3GPP2システム情報伝送メッセージのメッセージシーケンス番号と同じである。非3GPP2システムのシステム情報タイプフィールドは、受信した非3GPP2 システム情報伝送メッセージ内の非3GPP2 システムのシステム情報のタイプと同じであり、非3GPP2のシステム情報に応答する応答メッセージがどのタイプであるかを識別、即ち、LTEシステムのシステム情報に応答する応答メッセージであるか、WiMaxシステムのシステム情報に応答する応答メッセージであるか、または、他のシステムのシステム情報に応答する応答メッセージであるかを識別する。メッセージを再送信する必要があるかを判定するために、HRPDシステムによって送信された非3GPP2システム情報をモバイル端末がどのように処理するかをHPRDシステムが理解することができるように、原因値フィールドは、伝送する非3GPP2システムのシステム情報が受け取られる（非3GPP2システムプロセッサに記憶される）か、廃棄されるか、または別に処理されるかを識別する。
【００３９】
ステップ２０２において、HRPDシステムと非3GPP2システムをサポートするマルチモードモバイル端末は、HRPDシステムが送信した非3GPP2システムのシステム情報における伝送メッセージを受信したあと、解析を行い、解析した非3GPP2システムのシステム情報を非3GPP2システムプロセッサに記憶しまたは廃棄し、処理結果の原因値を生成し、原因値に応じて非3GPP2システムのシステム情報における伝送応答メッセージを生成してHRPDシステムへフィードバックする。
【００４０】
HRPDシステムにおけるマルチモードモバイル端末は、HRPDシステムが送信した非3GPP2システムのシステム情報における伝送メッセージを受信した後、当該伝送メッセージを端末のHRPDのシグナル応用プロトコルに伝送する。当該シグナル応用プロトコルは、HRPDシステムの通常のメッセージが解析される方法で当該非3GPP2システムのシステム情報における伝送メッセージを解析し、非3GPP2システムのシステム情報を得た後、当該システム情報が属する非3GPP2システムのタイプに応じて非3GPP2システムのシステム情報を対応の非3GPP2システムプロセッサに記憶する。例えば、HRPDシステムとLTEシステムをサポートするマルチモードモバイル端末は、HRPDシステムネットワーク側が送信したLTEシステムのシステム情報を受信した後、当該LTEシステムのシステム情報をLTEシステムをサポートするプロセッサに記憶する。このように、モバイル端末が非3GPP2システムに接続すると判定するとき、モバイル端末は、HRPDシステムネットワーク側が送信した非3GPP2システムのシステム情報に応じて、前記非3GPP2システムのサービスをモニターする。具体的な処理方式として、マルチモードモバイル端末における非3GPP2プロセッサは、現在記憶している非3GPP2システムのシステム情報と受信した新しい非3GPP2システムのシステム情報に応じて、原因値をキャリーする非3GPP2システムのシステム情報における伝送応答メッセージを生成する。原因値は以下のような状況を含むことができる。この状況は、マルチモードモバイル端末が初めて当該非3GPP2システムのシステム情報を受信して記憶する状況、または、その前に記憶した非3GPP2システムのシステム情報と新たに受信した非3GPP2システムのシステム情報が一致せず、かつ、ストレージが更新される状況、または、受信した非3GPP2システムのシステム情報バージョンをマルチモードモバイル端末がサポートしていない状況等である。マルチモードモバイル端末は原因値を非3GPP2 システム情報伝送応答メッセージに封入する。メッセージ識別フィールドは、非3GPP2 システム情報伝送応答メッセージが定義した値に対応し、メッセージシーケンス番号フィールドの値は、その前に受信して記憶した非3GPP2 システム情報伝送メッセージにおけるメッセージシーケンス番号フィールドの値である。そして、当該非3GPP2 システム情報伝送応答メッセージは、HRPDのシグナル応用プロトコルのメッセージを介してキャリーされ、例えば、アップリンク専用制御チャンネル（接続状態）または共同制御チャネル（アイドル状態）などの基本HRPDチャンネルによりHRPDシステムネットワーク側まで送信される。
【００４１】
HRPDシステムネットワーク側は、アップリンクHRPDチャンネルで非3GPP2 システム情報伝送応答メッセージを受信し、当該メッセージをHRPDシステムにおけるHRPDのシグナル応用プロトコルまで送信する。当該シグナルプロトコルは、非3GPP2 システム情報伝送応答メッセージを解析する。HRPDシステムは、規定された時間内に、その前に送信された非3GPP2システム情報伝送メッセージと同じメッセージシーケンス番号値を持つ非3GPP2システム情報伝送応答メッセージを受信しなかった場合、非3GPP2 システム情報伝送メッセージを再送信する。規定された時間内に、同じメッセージシーケンス番号値を持つ非3GPP2 システム情報伝送応答メッセージが首尾よく受信された場合、HRPDシステムは、非3GPP2 システム情報伝送応答メッセージにおける原因値を解析し、解析した原因値に応じて非3GPP2システムのシステム情報をキャリーする非3GPP2 システム情報伝送メッセージを再送信するかどうかを判定する。受信された非3GPP2システムのシステム情報のバージョンをマルチモードモバイルがサポートしていないと判定された場合、非3GPP2 システム情報伝送メッセージは、当該マルチモードモバイル端末へ再び送信されない。
【００４２】
図２に示すような高速パケットデータシステムにおける非3GPP2システムのシステム情報の応答方法はHRPDシステム及び非3GPP2システムをサポートするマルチモードモバイル端末側に適用される。
【００４３】
図３は本発明において高速パケットデータシステムにおける非3GPP2システムのシステム情報の送信装置の構造を示す図である。図３に示すように、本発明の高速パケットデータシステムにおける非3GPP2システムのシステム情報の送信装置は、設定ユニット30、第一判定ユニット31、生成ユニット32及び送信ユニット33を含む。設定ユニット30は、高速パケットデータHRPDシステムにおいて、非3GPP2システムのシステム情報を伝送する伝送メッセージ（非3GPP2システム情報伝送メッセージ）を設定する。非3GPP2システムのシステム情報における伝送メッセージの具体的な構造は、前記表１の関連説明を参照することができる。第一判定ユニット31は、前記HRPDシステム及び前記非3GPP2システムをサポートするマルチモードモバイル端末が前記HRPDシステム及び前記非3GPP2システムの共同カバー領域に位置するかどうかを判定し、位置するとき、生成ユニット32をトリガーする。生成ユニット32は、前記非3GPP2システムのシステム情報における伝送メッセージを生成する。送信ユニット33は、生成ユニット32が生成した前記非3GPP2システムのシステム情報における伝送メッセージを前記マルチモードモバイル端末へ送信する。
【００４４】
図３に示すように、本発明の高速パケットデータシステムにおける非3GPP2システムのシステム情報の送信装置は、第二判定ユニット34と再送信ユニット35をさらに含む。第二判定ユニット34は、前記非3GPP2システムのシステム情報を送信した後、設定した時間間隔内に前記非3GPP2システムのシステム情報に応答する応答メッセージを受信したかどうかを判定し、受信しなかったとき、再送信ユニット35をトリガーする。再送信ユニット35は前記非3GPP2システムのシステム情報を再送信する。第二判定ユニット34と再送信ユニット35は、本発明の高速パケットデータシステムにおける非3GPP2システムのシステム情報の送信装置における必要なユニットではなく、好適なパーツである。
【００４５】
図３に示す送信装置はHRPDシステムのネットワーク側に適用される。
【００４６】
図３に示す本発明の高速パケットデータシステムにおける非3GPP2システムのシステム状態の送信装置は、図１に示す高速パケットデータシステムにおける非3GPP2システムのシステム情報の送信方法を実現するために設計したものであり、図３に示す装置における各処理ユニットの実現機能は、図１に示す方法の関連説明を参照して理解でき、各ユニットの機能は、プロセッサ上のプログラムを実行することで実現されてもよく、対応する論理回路で実現されてもよいことを当業者は理解すべきであろう。
【００４７】
図４は本発明において高速パケットデータシステムにおける非3GPP2システムのシステム情報の応答装置の構造を示す図である。図４に示すように、本発明の高速パケットデータシステムにおける非3GPP2システムのシステム情報の応答装置は、設定ユニット40、受信ユニット41、解析ユニット42、処理ユニット43、生成ユニット44及び送信ユニット45を含む。設定ユニット40はHRPDシステムにおいて非3GPP2システムのシステム情報を伝送する伝送メッセージと、前記伝送メッセージに応答する非3GPP2システムのシステム情報の伝送応答メッセージとを設定する。非3GPP2システムのシステム情報の伝送応答メッセージの具体的な構造は、前記表２の関連説明を参照すればよい。受信ユニット41は前記HRPDシステムが送信した前記非3GPP2システムのシステム情報の伝送メッセージを受信する。解析ユニット42は受信ユニット41が受信した前記非3GPP2システムのシステム情報の伝送メッセージを解析する。処理ユニット43は解析ユニット42が解析した非3GPP2システムのシステム情報を非3GPP2システムプロセッサに記憶しまたは廃棄し、原因値を生成する。生成ユニット44は原因値に応じて非3GPP2システムのシステム情報における伝送応答メッセージを生成する。即ち、処理ユニット43が生成した原因値を表２に示したnon-3GPP2 システム情報伝送応答メッセージにおける原因値フィールドに挿入する。送信ユニット45は生成ユニット44が生成した前記非3GPP2システムのシステム情報における伝送応答メッセージを前記HRPDシステムへ送信する。
【００４８】
図４に示す装置はHRPDシステム及び非3GPP2システムをサポートするマルチモードモバイル端末に適用される。
【００４９】
図４に示す本発明の高速パケットデータシステムにおける非3GPP2システムのシステム情報の応答装置は、図２に示す高速パケットデータシステムにおける非3GPP2システムのシステム情報の応答方法を実現するために設計したものであり、図４に示す装置の各処理ユニットの実現機能は、図２に示す方法における関連説明を参照して理解され、各ユニットの機能は、プロセッサ上のプログラムを実行することで実現されてもよいし、対応する論理回路で実現されともよいことを当業者は理解すべきであろう。
以上の説明は本発明の単なる好適な実施例に過ぎず、本発明の保護範囲を限定するものではない。
【図１】
0005291245.tif 000004
【図２】
0005291245.tif 000005
【図３】
0005291245.tif 000006
【図４】
0005291245.tif 000007